(57)【特許請求の範囲】
【請求項１】
（Ａ）組成物の２０〜８０重量％の生分解性陽イオン布帛柔軟剤化合物であって、これは、
（１）（Ｒ）4-m Ｎ+ 〔（ＣＨ2 ）n −Ｙ−Ｒ2 〕m Ｘ- ；
（２）
【化１】
0003739428.tif 000017
（３）ＲＮ〔（ＣＨ2 ）n −Ｙ−Ｒ2 〕2 ；
（４）
【化２】
0003739428.tif 000018
（５）これらの混合物
からなる群から選ばれる、
（式中、
各ｎは１〜４の同じか異なる数であり；
ｍは２または３であり；
各ＲはＣ1 〜Ｃ6 アルキルまたは置換アルキル基、ベンジル基、水素、およびこれらの混合物であり；
各Ｙは−Ｏ−（Ｏ）Ｃ−、または−Ｃ（Ｏ）−Ｏ−であり；
Ｚは−ＮＨ−Ｃ（Ｏ）−または−Ｃ（Ｏ）−ＮＨ−であり；
各Ｒ2 は同じか異なるＣ8 〜Ｃ22ヒドロカルビルまたは置換ヒドロカルビル置換基であり；
Ｘ- は柔軟剤相容性陰イオンである）；
（Ｂ）組成物の２〜２５重量％の分散性助剤であって、これは、Ｃ8 〜Ｃ22モノアルキル陽イオン第四級アンモニウム化合物、Ｃ8 〜Ｃ22モノアルキルアミンオキシド、およびこれらの混合物からなる群から選ばれる；および
（Ｃ）組成物の１７〜７５重量％の非水性溶媒
を含み、（Ａ）は平均ヨウ素価が少なくとも５０を有するＣ8 〜Ｃ22脂肪アシル基に由来することを特徴とする、透明または半透明なすすぎ液添加布帛柔軟化組成物。
【請求項２】
ヨウ素価が少なくとも６５である、請求項１に記載の組成物。
【請求項３】
ヨウ素価が７０〜１２０である、請求項２に記載の組成物。
【請求項４】
ヨウ素価が７５〜９５である、請求項３に記載の組成物。
【請求項５】
Ｒ2 がＣ18脂肪アシル基に由来する、請求項１に記載の組成物。
【請求項６】
（Ａ）が組成物の４０〜５５重量％である、請求項１に記載の組成物。
【請求項７】
非水性溶媒が組成物の２５〜４５重量％である、請求項１に記載の組成物。
【請求項８】
非水性溶媒が
（ａ）短鎖アルキルアルコール；
（ｂ）アリールアルキルアルコール；
（ｃ）アルキレングリコール；
（ｄ）アルキレンポリオール；
（ｅ）ポリ（アルキレングリコール）；
（ｆ）ポリ（アルキレンポリオール）；
（ｇ）アルキルエステル；
（ｈ）アルキルエーテル；
（ｉ）アルキレンカーボネート；および
（ｊ）これらの混合物
からなる群から選ばれる、請求項１に記載の組成物。
【請求項９】
非水性溶媒が、プロピレングリコール、プロピレンカーボネート、ジエチレングリコールモノブチルエーテル、およびこれらの混合物からなる群から選ばれる、請求項８に記載の組成物。
【請求項１０】
非水性溶媒が、プロピレンカーボネートである、請求項９に記載の組成物。
【請求項１１】
分散性助剤が、組成物の３〜１７重量％である、請求項１に記載の組成物。
【請求項１２】
分散性助剤がＣ10〜Ｃ14モノ長鎖アルキル陽イオン第四級アンモニウム化合物である、請求項１に記載の組成物。
【請求項１３】
分散性助剤がラウリルトリメチルアンモニウムクロリドである、請求項１２に記載の組成物。
【請求項１４】
分散性助剤がＣ16〜Ｃ18モノ長鎖アルキル陽イオン第四級アンモニウム化合物である、請求項１に記載の組成物。
【請求項１５】
分散性助剤がモノタロートリメチルアンモニウムクロリドである、請求項１４に記載の組成物。
【請求項１６】
分散性助剤がＣ10〜Ｃ14アルキルコリンエステルである、請求項１に記載の組成物。
【請求項１７】
分散性助剤がココ（coco）コリンエステルである、請求項１６に記載の組成物。
【請求項１８】
分散性助剤がＣ10〜Ｃ14アミンオキシドである、請求項１に記載の組成物。
【請求項１９】
柔軟化組成物対水の比率が１：１から１：５になるように前記柔軟化組成物を水で希釈した時の組成物の粘度が、１５ｃｐｓ〜５００ｃｐｓである、請求項１に記載の組成物。
【発明の詳細な説明】
【０００１】
【産業上の利用分野】
本発明は、高度に濃縮された透明または半透明な液体布類処理組成物に関する。詳細には、本発明は、優秀な布帛柔軟化／静電気制御上の利益を与えるために布類洗濯操作のすすぎサイクルで使用するための布類柔軟化組成物に関し、この組成物は優秀な柔軟化、水分散性、再湿潤性、生分解性、および常温以下での貯蔵安定性および粘度安定性によって特徴づけられる。
【０００２】
【従来の技術および発明が解決しようとする課題】
従来技術には、透明な濃縮分散性布帛コンディショニング処方物を処方し且つ調製することと関連づけられる課題が開示されている。例えば、１９９０年１２月２７日に公開されたMachin等の欧州特許出願第４０４，４７１号明細書には、柔軟剤少なくとも２０重量％および短鎖有機酸少なくとも５重量％を有する等方性液体柔軟化組成物が教示されている。
【０００３】
多量の溶媒を含有する布帛柔軟化組成物は、技術上既知であるが、これらの組成物は、満足な柔軟化性能を維持しながら許容可能な冷水分散性および常温以下での安定性を与える際に依然として不十分である。これは、組成物中の柔軟剤活性成分の量が増大すると、すすぎ水への活性成分の分散性が減少することがあるという一般的な問題のためである。柔軟剤凝集体が、形成され且つ布上に付着することがあり、このことは汚染を生じたり、柔軟化性能を低下させることがある。また、組成物は、低温、即ち、３５°Ｆ〜６５°Ｆ（約１．６７℃〜１８．３℃）または例えば自動柔軟剤ディスペンサーで使用するために柔軟化組成物対水１：１から１：５で希釈される時に、増粘しおよび／または沈殿することがある。
【０００４】
それゆえ、本発明は、広範囲の布帛種類にわたって優秀な柔軟化、帯電防止特性および布帛再湿潤性特性と一緒に長期貯蔵条件下での常温以下での改善された安定性（即ち、透明または半透明のままであり且つ沈殿しない）および良好な冷水分散性を有する濃縮液体布類処理組成物を提供する。
【０００５】
本発明の目的は、すすぎ水に容易に分散し、低温で相安定なままであり、且つ好ましくは例えば消費者が水を組成物と共に自動洗濯機の分与装置または自動分与装置に加え入れることによって組成物を予備希釈する時に低希釈条件下で許容可能な粘度を維持する高度に濃縮された生分解性の透明または不透明なすすぎ液添加（rinse-added)布帛柔軟化組成物を提供することにある。本発明の組成物は、好ましくは、柔軟化組成物対水約１：１から約１：５の比率を生ずるこれらの予備希釈条件下で許容可能な粘度を維持する。
【０００６】
【課題を解決するための手段】
本発明は、
（Ａ）生分解性陽イオン布帛柔軟剤化合物、好ましくは
（１）（Ｒ）4-m Ｎ+ 〔（ＣＨ2 ）n −Ｙ−Ｒ2 〕m Ｘ- ；
（２）
【０００７】
【化３】
0003739428.tif 000002
（３）ＲＮ〔（ＣＨ2 ）n −Ｙ−Ｒ2 〕2 ；
（４）
【０００８】
【化４】
0003739428.tif 000003
（５）これらの混合物
からなる群から選ばれる式の生分解性エステル第四級アンモニウム活性成分（ＥＱＡ）約２０％〜約８０％
〔式中、
各ｎは１〜４の同じか異なる数であり；
各ｍは２または３であり；
各ＲはＣ1 〜Ｃ6 アルキルまたは置換アルキル基（例えば、ヒドロキシアルキル）、好ましくはＣ1 〜Ｃ3 アルキル基、例えば、メチル（最も好ましい）、エチル、プロピルなど、ベンジル基、水素、およびこれらの混合物であり；
各Ｙは−Ｏ−（Ｏ）Ｃ−、または−Ｃ（Ｏ）−Ｏ−であり；
Ｚは−ＮＨ−Ｃ（Ｏ）−または−Ｃ（Ｏ）−ＮＨ−であり；
各Ｒ2 は同じか異なるＣ8 〜Ｃ22ヒドロカルビルまたは置換ヒドロカルビル置換基であり；
Ｘ- はクロリド、ブロミド、メチルサルフェート、ホルメート、サルフェート、ニトレートなどの柔軟剤相容性陰イオンである〕；
（Ｂ）分散性助剤約２％〜約２５％；および
（Ｃ）非水性溶媒約１７％〜約７５％
を含み、Ｒ2 が平均ヨウ素価少なくとも約５０、好ましくは少なくとも約６５、より好ましくは約７０〜約１２０、一層好ましくは約７２〜約１１０、最も好ましくは約７５〜約９５を有するＣ8 〜Ｃ22脂肪アシル基に由来することを特徴とする透明または半透明なすすぎ液添加布帛柔軟化組成物に関する。
【０００９】
ここでヨウ素価とは、出発脂肪アシル基（得られるＥＱＡ化合物ではない）のヨウ素価を意味する。
【００１０】
より高い柔軟剤濃度を有する処方物は、典型的には、より高いヨウ素価を必要とするであろう。
【００１１】
好ましくは、本発明の組成物は、柔軟化組成物対水約１：１から約１：５で希釈した時に粘度約１５ｃｐｓ〜約５００ｃｐｓ、好ましくは約１５ｃｐｓ〜約  ２５０ｃｐｓ（ブルックフィールド、ＬＶスピンドルNo. ２、６０ｒｐｍ、室温）を有する。
【００１２】
ここですべての％、比率および割合は、特に断らない限り、重量基準である。すべての数は、特に断らない限り、近似値である。
【００１３】
本発明は、必須成分として、組成物の約２０〜約８０重量％、好ましくは約  ３０〜約６５重量％、より好ましくは約４０〜約５５重量％の生分解性陽イオン布帛柔軟剤化合物を含有する。
（Ａ）エステル第四級アンモニウム化合物（ＥＱＡ）
本発明は、生分解性陽イオン布帛柔軟剤化合物約２０％〜約８０％を含有する組成物に関する。好ましくは、組成物は、
（１）（Ｒ）4-m Ｎ+ 〔（ＣＨ2 ）n −Ｙ−Ｒ2 〕m Ｘ- ；
（２）
【００１４】
【化５】
0003739428.tif 000004
（３）ＲＮ〔（ＣＨ2 ）n −Ｙ−Ｒ2 〕2 ；
（４）
【００１５】
【化６】
0003739428.tif 000005
（５）これらの混合物
〔式中、
各ｎは１〜４の同じか異なる数であり；
各ｍは２または３であり；
各ＲはＣ1 〜Ｃ6 アルキルまたは置換アルキル基（例えば、ヒドロキシアルキル）、好ましくはＣ1 〜Ｃ3 アルキル基、例えば、メチル（最も好ましい）、エチル、プロピルなど、ベンジル基、水素、およびこれらの混合物であり；
各Ｙは−Ｏ−（Ｏ）Ｃ−、または−Ｃ（Ｏ）−Ｏ−であり；
Ｚは−ＮＨ−Ｃ（Ｏ）−または−Ｃ（Ｏ）−ＮＨ−であり；
各Ｒ2 は同じか異なるＣ8 〜Ｃ22ヒドロカルビルまたは置換ヒドロカルビル置換基であり；
Ｘ- はクロリド、ブロミド、メチルサルフェート、ホルメート、サルフェート、ニトレートなどの柔軟剤相容性陰イオンであり；
Ｒ2 は平均ヨウ素価少なくとも約５０、好ましくは少なくとも約６５、より好ましくは約７０〜約１２０、一層好ましくは約７２〜約１１０、最も好ましくは約７５〜約９５を有するＣ8 〜Ｃ22脂肪アシル基に由来する〕
からなる群から選ばれる式の生分解性エステル第四級アンモニウム活性成分（ＥＱＡ）を含む。
【００１６】
より好ましくは、柔軟剤化合物は、少なくとも２個のＣ8 〜Ｃ22アシルオキシ基を含有し、一層好ましくは柔軟剤化合物は、式（１）、（２）およびこれらの混合物からなる群から選ばれる。
【００１７】
少なくとも部分的に不飽和のアシル基を使用して生成した化合物は、改善された濃縮性および貯蔵安定性（即ち、透明または半透明のままであり且つ沈殿しない）（特にサブノルマル温度で）を与える。
【００１８】
においの問題は、ヨウ素価が増大するにつれて生ずることがある。驚異的なことに、タローなどの若干の高度に望ましい容易に入手できる脂肪酸源は、原料タローを完成ＥＱＡに転化する化学的加工工程および機械的加工工程にも拘らず化合物ＥＱＡと共に残るにおいを有する。このような源は、例えば、吸収、蒸留（スチームストリッピングなどのストリッピングを含めて）などによって脱臭しなければならない。加えて、酸化防止剤、殺細菌剤などを加えることによって得られる脂肪アシル基の酸素および／または細菌への接触を最小限にするように注意を払わなければならない。不飽和脂肪アシル基と関連づけられる追加の費用および努力は、達成される優れた濃縮性および／または分散性によって正当化される。
【００１９】
Ｒ2 は、場合によって、アルコキシル、ヒドロキシル基などの各種の基で置換できることが理解されるであろう。好ましい化合物の若干は、広く使用されている布帛柔軟剤であるジタロージメチルアンモニウムクロリド（ＤＴＤＭＡＣ）のジエステル変形物であるとみなすことができる。
【００２０】
下記のものは、すべての長鎖アルキル置換基が直鎖である非限定例である：
【００２１】
【化７】
0003739428.tif 000006
〔Ｃ2 Ｈ5 〕2 Ｎ+ 〔ＣＨ2 ＣＨ2 ＯＣ（Ｏ）Ｃ17Ｈ33〕2 Ｃｌ- 
〔ＣＨ3 〕〔Ｃ2 Ｈ5 〕Ｎ+ 〔ＣＨ2 ＣＨ2 ＯＣ（Ｏ）Ｃ13Ｈ25〕2 Ｉ- 
【００２２】
【化８】
0003739428.tif 000007
【００２３】
【化９】
0003739428.tif 000008
〔ＣＨ2 ＣＨ2 ＯＨ〕〔ＣＨ3 〕Ｎ+ 〔ＣＨ2 ＣＨ2 ＯＣ（Ｏ）Ｒ2 〕2 Ｃｌ- 
〔ＣＨ3 〕2 Ｎ+ 〔ＣＨ2 ＣＨ2 ＯＣ（Ｏ）Ｃ17Ｈ33〕2 Ｃｌ- 
〔ＣＨ3 〕2 Ｎ+ 〔ＣＨ2 ＣＨ2 ＯＣ（Ｏ）Ｒ2 〕2 Ｃｌ- 
（式中、Ｒ2 はソフトタローに由来する）。
【００２４】
本発明の好ましい柔軟剤は、ジ（オレイルオイルオキシエチル）ジメチルアンモニウムクロリドである。
【００２５】
前記No. （３）と同様の好ましい化合物は、欧州特許出願第４４３，３１３号明細書に開示されている。
【００２６】
前記No. （４）と同様の好ましい化合物は、欧州特許出願第４７２，１７８号明細書に開示されている。
【００２７】
Ｂ．  分散性助剤
本発明の分散性助剤は、組成物の約２〜約２５重量％、好ましくは約３〜約１７重量％、より好ましくは約４〜約１５重量％、一層好ましくは５〜約１３重量％の合計量のモノアルキル陽イオン第四級アンモニウム化合物、モノアルキルアミンオキシド、およびこれらの混合物からなる群から選ばれる。これらの物質は、活性柔軟剤原料（Ａ）の一部分として添加するか、別個の成分として添加することができる。分散性助剤の合計量は、成分（Ａ）の一部分として存在してもよいいかなる量も包含する。
【００２８】
好ましくは、本発明の組成物は、柔軟化組成物対水約１：１から約１：５で希釈した時に粘度約１５ｃｐｓ〜約５００ｃｐｓ、好ましくは約１５ｃｐｓ〜約２５０ｃｐｓを有する。
モノアルキル陽イオン第四級アンモニウム化合物
モノアルキル陽イオン第四級アンモニウム化合物は、組成物の約２〜約２５重量％、好ましくは約３〜約１７重量％、より好ましくは約４〜約１５重量％、一層好ましくは約５〜約１３重量％の量である（合計モノアルキル陽イオン第四級アンモニウム化合物は、少なくとも有効量である）。
【００２９】
本発明で有用なこのようなモノアルキル陽イオン第四級アンモニウム化合物は、好ましくは、一般式
〔Ｒ4 Ｎ+ （Ｒ5 ）3 〕Ｘ- 
〔式中、
Ｒ4 基はＣ8 〜Ｃ22アルキルまたはアルケニル基、好ましくはＣ10〜Ｃ18アルキルまたはアルケニル基、より好ましくはＣ10〜Ｃ14またはＣ16〜Ｃ18アルキルまたはアルケニル基であり、
各Ｒ5 はＣ1 〜Ｃ6 アルキルまたは置換アルキル基（例えば、ヒドロキシアルキル）、好ましくはＣ1 〜Ｃ3 アルキル基、例えば、メチル（最も好ましい）、エチル、プロピルなど、ベンジル基、水素、約２〜約２０個のオキシエチレン単位、好ましくは約２．５〜約１３個のオキシエチレン単位、より好ましくは約３〜約１０個のオキシエチレン単位を有するポリエトキシ化鎖、およびこれらの混合物であり、
Ｘ- は（Ａ）の場合に前に定義した通りである〕
の第四級アンモニウム塩である。
【００３０】
特に好ましい分散性助剤は、モノラウリルトリメチルアンモニウムクロリドおよびウィトコから商品名バリソフトR ４７１で入手できるモノタロートリメチルアンモニウムクロリドである。
【００３１】
Ｒ4 基は、成分（Ａ）の増大された濃縮性、生分解性などに望ましいことがある１個以上のエステル結合基、アミド結合基、エーテル結合基、アミン結合基などの結合基を含有する基を通して陽イオン窒素原子に結合することもできる。このような結合基は、好ましくは、窒素原子の約１〜約３個の炭素原子以内にある。  モノアルキル陽イオン第四級アンモニウム化合物としては、Ｃ8 〜Ｃ22アルキルコリンエステルも挙げられる。この種の好ましい分散性助剤は、式
Ｒ2 −Ｃ（Ｏ）Ｏ−ＣＨ2 ＣＨ2 Ｎ+ （Ｒ）3 Ｘ- 
（式中、Ｒ2 、ＲおよびＸ- は（Ａ）の場合に前に定義の通りである）
を有する。
【００３２】
高度に好ましい分散性助剤としては、Ｃ12〜Ｃ14ココ（coco）コリンエステルおよびＣ16〜Ｃ18タローコリンエステルが挙げられる。
【００３３】
長鎖中にエステル結合を含有する好適な生分解性単一長鎖アルキル分散性助剤は、米国特許第４，８４０，７３８号明細書に記載されている。
【００３４】
分散性助剤がアルキルコリンエステルからなる時には、好ましくは、組成物は、少量、好ましくは組成物の約２〜約５重量％の有機酸も含有する。有機酸は、前記欧州特許出願第４０４，４７１号明細書に記載されている。好ましくは、有機酸は、グリコール酸、酢酸、クエン酸、およびこれらの混合物からなる群から選ばれる。
【００３５】
分散性助剤として役立つことができるエトキシ化第四級アンモニウム化合物としては、シェレックス・ケミカル・カンパニーから商品名バリクォート（VariquatR ）６６で入手できるエチレンオキシド１７モルを有するエチルビス（ポリエトキシエタノール）アルキルアンモニウムエチルサルフェート、アクゾから商品名エトクォード（EthoquadR ）０／２５で入手できるポリエチレングリコール（１５）オレアンモニウムクロリド、およびアクゾから商品名エトクォードR Ｃ／２５で入手できるポリエチレングリコール（１５）ココモニウムクロリドが挙げられる。
【００３６】
分散性助剤の主機能は、エステル柔軟剤の分散性を増大することであるが、好ましくは、本発明の分散性助剤は、若干の柔軟性も有していて組成物の柔軟化性能を増進する。それゆえ、好ましくは、本発明の組成物は、組成物の全体の柔軟化性能を減少するであろう非窒素質エトキシ化非イオン分散性助剤を本質上含まない。
【００３７】
また、単一アルキル長鎖のみを有する第四級化合物は、洗浄液からすすぎ液にキャリーオーバーされる陰イオン界面活性剤および／または洗浄性ビルダーと相互作用することからジエステル柔軟剤を保護できる。
アミンオキシド
好適なアミンオキシドとしては、炭素数約８〜約２２、好ましくは炭素数約１０〜約１８、より好ましくは炭素数約８〜約１４のアルキルまたはヒドロキシアルキル１個および炭素数約１〜約３のアルキル基およびヒドロキシアルキル基からなる群から選ばれるアルキル部分２個を有するものが挙げられる。
【００３８】
例としては、ジメチルオクチルアミンオキシド、ジエチルデシルアミンオキシド、ビス−（２−ヒドロキシエチル）ドデシルアミンオキシド、ジメチルドデシルアミンオキシド、ジプロピルテトラデシルアミンオキシド、メチルエチルヘキサデシルアミンオキシド、ジメチル−２−ヒドロキシオクタデシルアミンオキシド、およびココナツ脂肪アルキルジメチルアミンオキシドが挙げられる。
【００３９】
（Ｃ）溶媒系
本発明の組成物は、組成物の約１７〜約７５重量％、好ましくは約２０〜約５０重量％、より好ましくは約２５〜約４５重量％の非水性有機溶媒（好ましくは
（ａ）短鎖アルキルアルコール；
（ｂ）アリールアルキルアルコール；
（ｃ）アルキレングリコール；
（ｄ）アルキレンポリオール；
（ｅ）ポリ（アルキレングリコール）；
（ｆ）ポリ（アルキレンポリオール）；
（ｇ）アルキルエステル；
（ｈ）アルキルエーテル；
（ｉ）アルキレンカーボネート；および
（ｊ）これらの混合物
からなる群から選ばれる）を含み；より好ましくは、非水性溶媒は、（ａ）短鎖アルキルアルコール；（ｂ）アリールアルキルアルコール；（ｃ）アルキレングリコール；（ｅ）ポリ（アルキレングリコール）；（ｈ）アルキルエーテル；（ｉ）アルキレンカーボネート；およびこれらの混合物からなる群から選ばれ；より好ましくは、溶媒は、エタノール、プロピレングリコール、プロピレンカーボネート、ジエチレングリコールモノブチルエーテル（即ち、ブチルカルビトールR ）、ジプロピレングリコール、フェニルエチルアルコール、２−メチル−１，３−プロパンジオール、およびこれらの混合物からなる群から選ばれ；一層好ましくは、溶媒は、プロピレングリコール、プロピレンカーボネート、ジエチレングリコールモノブチルエーテル、フェニルエチルアルコールおよびこれらの混合物からなる群から選ばれる。特に好ましい溶媒は、プロピレンカーボネートである。
【００４０】
本発明の組成物で有用な前記溶媒の若干の例としては、Ｃ1 〜Ｃ14アルカノール（即ち、エタノール、プロパノール、イソプロパノール、Ｎ−ブチルアルコール、ｔ−ブチルアルコール）、Ｃ1 〜Ｃ6 アルキレンポリオール、好ましくはエチレングリコール、ジエチレングリコール、プロピレングリコールおよびジプロピレングリコール、グリセロールおよびこれらのエステルが挙げられる。ポリ（アルキレン）グリコールとしては、ポリエチレングリコール２００、３００、４００、または６００（添数はグリコールの近似分子量を示す）が挙げられる。グリコールエーテルとしては、エタノールまたはイソプロパノールの低級−（アルコキシ）エーテルまたは低級（アルコキシ）エーテルが挙げられる。多くのグリコールエーテルは、商品名アルコソルブ(ArcosolveR ）（アルコ・ケミカル・カンパニー）またはセロソルブ（CellosolveR ）、カルビトール（CarbitolR ）、またはプロパゾール（PropasolR ）（ユニオン・カーバイド・コーポレーション）で入手でき、これらの例としては、例えば、ブチルカルビトール(butylCarbitolR ）、ヘキシルカルビトール(hexylCarbitolR ）、メチルカルビトール（methylCarbitolR ）、およびカルビトールR 自体が挙げられる。
【００４１】
本発明で使用するのに最も好ましい溶媒、例えば、プロピレンカーボネートおよびプロピレングリコールは、一般に、高い引火点を有する。溶媒系は、前記柔軟剤活性成分との反応を最小限にするように選ばれる。
【００４２】
好ましくは、組成物は、組成物の約５重量％以下、より好ましくは約３重量％以下の短鎖アルキルアルコール、即ち、エタノールを含有する。溶媒系は、好ましくは、引火点を許容可能な水準、好ましくは少なくとも約１００°Ｆ（約３７．８℃）、より好ましくは少なくとも約１５０°Ｆ（約６６℃）に維持するように選ばれる。
【００４３】
本発明の組成物で使用する溶媒系は、水を含有できる。溶媒系中の水の量は、好ましくは、組成物の約１５重量％以下、より好ましくは約１１重量％以下、一層好ましくは約５重量％以下である。水は、任意成分を溶解するのを助長でき且つ組成物の引火点を増大するのを助長できる。
【００４４】
低分子量有機溶媒、例えば、約１００以下の低級アルコール、例えば、エタノール、プロパノール、イソプロパノール、ブタノール、一価アルコール、二価アルコール（グリコールなど）、三価アルコール（グリセロールなど）、および高級多価アルコール（ポリオール）などは、組成物の引火点を下げるので、最小限にすべきである。少量のこれらのアルコールは、水中への組成物の分散性およびサブノルマル温度での貯蔵安定性を助長するであろう。
【００４５】
任意の安定剤
安定剤は、本発明の組成物で存在できる。ここで使用する「安定剤」なる用語は、酸化防止剤および還元剤を包含する。これらの薬剤は、酸化防止剤の場合には０％〜約２％、好ましくは約０．０１％〜約０．２％、より好ましくは約０．０３５％〜約０．１％、還元剤の場合には、より好ましくは約０．０１％〜約０．２％の量で存在する。これらは、長期貯蔵条件下で良好なにおい安定性を保証する。酸化防止剤および還元剤安定剤は、香気のない製品または微香製品（香料なしか少ない香料）に特に臨界的である。
【００４６】
本発明の組成物に添加できる酸化防止剤の例としては、イーストマン・ケミカル・プロダクツ・インコーポレーテッドから商品名テノックス(TenoxR ）ＰＧおよびテノックスR Ｓ−１で入手できるアスコルビン酸とアスコルビン酸パルミテートと没食子酸プロピルとの混合物、イーストマン・ケミカル・プロダクツ・インコーポレーテッドから商品名テノックスR −６で入手できるＢＨＴ（ブチル化ヒドロキシトルエン）とＢＨＡ（ブチル化ヒドロキシアニソール）と没食子酸プロピルとクエン酸との混合物、ＵＯＰプロセス・ディビジョンから商品名サスタン(SustaneR ）ＢＨＴで入手できるブチル化ヒドロキシトルエン、イーストマン・ケミカル・プロダクツ・インコーポレーテッドからテノックスR ＴＢＨＱとして入手できるｔ−ブチルヒドロキノン、イーストマン・ケミカル・プロダクツ・インコーポレーテッドからテノックスR ＧＴ−１／ＧＴ−２で入手できる天然トコフェロール、およびイーストマン・ケミカル・プロダクツ・インコーポレーテッドからＢＨＡとして入手できるブチル化ヒドロキシアニソール、没食子酸の長鎖エステル（Ｃ8 〜Ｃ22）、例えば、没食子酸ドデシル、イルガノックス(IrganoxR ）１０１０、イルガノックスR １０３５、イルガノックスR Ｂ１１７１、イルガノックスR １４２５、イルガノックスR ３１１４、イルガノックスR ３１２５、およびこれらの混合物、好ましくはイルガノックスR ３１２５、イルガノックスR １４２５、イルガノックスR ３１１４、およびこれらの混合物、より好ましくはイルガノックスR ３１２５単独またはクエン酸および／またはクエン酸イソプロピルなどの他のキレート化剤との混合物、モンサントから１−ヒドロキシエチリデン−１，１−ジホスホン酸（エチドロン酸）の化学名で入手できるデクエスト(DequestR ）２０１０、およびコダックから４，５−ジヒドロキシ−ｍ−ベンゼンスルホン酸／ナトリウム塩の化学名で入手できるチロン(TironR ）、およびアルドリッチからジエチレントリアミン五酢酸の化学名で入手できるＤＴＰＡR が挙げられる。
【００４７】
本発明の組成物で使用できる前記安定剤の若干の化学名およびＣＡＳNo. は、以下の表Ｉに表示する。
【００４８】
0003739428.tif 000009
任意の防汚剤
場合によって、本組成物は、防汚剤０％〜約１０％、好ましくは約０．１％〜約５％、より好ましくは約０．１％〜約２％を含有する。好ましくは、このような防汚剤は、重合体である。本発明で有用な高分子防汚剤としては、テレフタレートとポリエチレンオキシドまたはポリプロピレンオキシドとの共重合体ブロックなどが挙げられる。米国特許第４，９５６，４４７号明細書は、陽イオン官能性を含む特定の好ましい防汚剤を開示している。
【００４９】
高度に好ましい防汚剤のより完全な開示は、欧州特許出願第１８５，４２７号明細書および米国特許第５，２０７，９３３号明細書にに含まれている。
任意の殺細菌剤
本発明の組成物で使用できる殺細菌剤の例は、パラベン、特にメチルパラベン、グルタルアルデヒド、ホルムアルデヒド、イノレックス・ケミカルズによって商品名ブロノポール（BronopolR ）で販売されている２−ブロモ−２−ニトロプロパン−１，３−ジオール、およびローム・エンド・ハース・カンパニーによって商品名カトン（KathonR ）ＣＧ／ＩＣＰで販売されている５−クロロ−２−メチル−４−イソチアゾリン−３−オンと２−メチル−４−イソチアゾリン−３−オンとの混合物である。本組成物で使用する殺細菌剤の典型量は、選ばれる殺細菌剤の種類に応じて組成物の重量で約１ｐｐｍ〜約２，０００ｐｐｍである。メチルパラベンは、エステル化合物１０重量％未満を有する水性布帛柔軟化組成物でかび成長に特に有効である。
他の任意の成分
本発明は、布類処理組成物で常用されている他の任意成分、例えば、着色剤、香料、防腐剤、光学増白剤、乳濁剤、布帛コンディショニング剤、界面活性剤、安定剤、例えば、グアーゴム、収縮防止剤、しわ防止剤、布帛クリスピング（crisping）剤、斑点取り剤（anti-spotting agent ）、殺菌剤、殺真菌剤、防食剤、消泡剤などを包含できる。
【００５０】
柔軟化法
本発明の方法のアスペクトにおいては、布帛または繊維は、水性すすぎ浴中で有効量、一般に約１０ml〜約１５０ml（被処理繊維または布帛３．５kg当たり）の本発明の柔軟剤組成物（エステル化合物を含めて）と接触させる。勿論、使用量は、組成物の濃度、繊維または布帛の種類、および所望の柔軟度に応じて使用者の判断に基づく。好ましくは、すすぎ浴は、本発明の全活性布帛柔軟化化合物約１０〜約１，０００ｐｐｍ、より好ましくは約５０〜約５００ｐｐｍ、一層好ましくは約５０〜約１５０ｐｐｍを含有する。
【００５１】
下記のものは、本発明を限定しようとはしない本発明の例である。
【００５２】
0003739428.tif 000010
粘度は、６０ｒｐｍ、ＬＶスピンドルNo. ２、８０°F （約２６．７℃）においてブルックフィールド粘度計ＬＶＴＤで測定した時に１０〜５０ｃｐｓである。
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１１：１でモノエステルを包含する。
2 モノタロートリメチルアンモニウムクロリド。
【００５３】
前記組成物は、下記の方法によって調製する。
１．  エステル化合物（エタノールも含有する）、すべての溶媒、バリソフトR ４７１（イソプロピルアルコールおよび水も含有する）を合わせ、混合し（低攪拌下に）；
２．  香料を加え、低攪拌下に混合する。
【００５４】
加熱は、通常、原料を室温〔７０〜８０°Ｆ（約２１．１〜２６．７℃）〕で貯蔵するならば必要ではない。前記組成物は、４０°Ｆ（約４．４４℃）で透明であり且つ相安定である。
【００５５】
0003739428.tif 000011
粘度は、６０ｒｐｍ、ＬＶスピンドルNo. ２、８０°Ｆ（約２６．７℃）においてブルックフィールド粘度計ＬＶＴＤで測定した時に１０〜５０ｃｐｓである。
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１１：１でモノエステルを包含する。
2 モノタロートリメチルアンモニウムクロリド。
3 脂肪アシル基がヨウ素価約５６を有する脂肪酸に由来するジ（タローオイルオキシエチル）ジメチルアンモニウムクロリド。
【００５６】
前記組成物は、下記の方法によって調製する。
１．  エステル化合物（エタノールも含有する）、溶媒、バリソフトR ４７１  （イソプロピルアルコールおよび水も含有する）を合わせ、混合し（低攪拌下に）；
２．  香料を加え、低攪拌下に混合する。
【００５７】
加熱は、通常、原料を室温〔７０〜８０°Ｆ（約２１．１〜２６．７℃）〕で貯蔵するならば必要ではない。前記組成物は、４０°Ｆ（約４．４４℃）で透明であり且つ相安定である。
【００５８】
0003739428.tif 000012
粘度は、６０ｒｐｍ、ＬＶスピンドルNo. ２、８０°Ｆ（約２６．７℃）においてブルックフィールド粘度計ＬＶＴＤで測定した時に１０〜５０ｃｐｓである。
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１１：１でモノエステルを包含する。
【００５９】
前記組成物は、下記の方法によって調製する。
１．  エステル化合物（エタノールも含有する）、溶媒、ラウリルトリメチルアンモニウムクロリドを合わせ、混合し（低攪拌下に）；
２．  香料を加え、低攪拌下に混合する。
【００６０】
加熱は、通常、原料を室温〔７０〜８０°Ｆ（約２１．１〜２６．７℃）〕で貯蔵するならば必要ではない。前記組成物は、４０°Ｆ（約４．４４℃）で透明であり且つ相安定である。
【００６１】
0003739428.tif 000013
粘度は、６０ｒｐｍ、ＬＶスピンドルNo. ２、８０°Ｆ（約２６．７℃）においてブルックフィールド粘度計ＬＶＴＤで測定した時に１０〜５０ｃｐｓである。
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１１：１でモノエステルを包含する。
【００６２】
前記組成物は、下記の方法によって調製する。
１．  エステル化合物（エタノールも含有する）、溶媒、ラウリルトリメチルアンモニウムクロリドを合わせ、混合し（低攪拌下に）；
２．  香料を加え、低攪拌下に混合する。
【００６３】
加熱は、通常、原料を室温〔７０〜８０°Ｆ（約２１．１〜２６．７℃）〕で貯蔵するならば必要ではない。前記組成物は、４０°Ｆ（約４．４４℃）で透明であり且つ相安定である。
【００６４】
0003739428.tif 000014
粘度は、６０ｒｐｍ、ＬＶスピンドルNo. ２、８０°Ｆ（約２６．７℃）においてブルックフィールド粘度計ＬＶＴＤで測定した時に１０〜５０ｃｐｓである。
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１１：１でモノエステルを包含する。
2 モノタロートリメチルアンモニウムクロリド。
【００６５】
前記組成物は、下記の方法によって調製する。
１．  コココリンエステル（エタノールを含有する）およびグリコール酸を混合してプレミックスを調製し；
２．  プレミックスを１６０°Ｆ（約７１℃）に加熱し；
３．  低攪拌を使用して、エステル化合物、すべての溶媒、バリソフトR ４７１（イソプロピルアルコールを含有する）を合わせ、混合し；
４．  工程１からの加熱プレミックスを工程３の混合物に加え、混合し；
５．  室温に冷却し；
６．  香料を加え、低攪拌下に混合する。
【００６６】
前記組成物は、４０°Ｆ（約４．４４℃）で透明であり且つ相安定である。
【００６７】
0003739428.tif 000015
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１０：１でモノエステルを包含する。
3 脂肪アシル基がヨウ素価約５０〜約６０を有する脂肪酸に由来するジ（タローオイルオキシエチル）ジメチルアンモニウムクロリド。エステルはジエステル対モノエステルの重量比約１６：１でモノエステルを包含する。
4 式
ＣＨ3 （ＣＨ2 ）n −Ｎ（ＣＨ3 ）2 →Ｏ
（式中、ｎは約１１〜約１５である）
を有するアミンオキシド。
【００６８】
0003739428.tif 000016
粘度は、６０ｒｐｍ、ＬＶスピンドルNo. ２、７３°Ｆ（約２２．８℃）においてブルックフィールド粘度計ＬＶＴＤで測定した時に１０〜５０ｃｐｓである。
1 脂肪アシル基がヨウ素価約８５〜９０を有する脂肪酸に由来するジ（オレイルオイルオキシエチル）ジメチルアンモニウムクロリド。エステルはジエステル対モノエステルの重量比１０：１でモノエステルを包含する。
3 脂肪アシル基がヨウ素価約５０〜約６０を有する脂肪酸に由来するジ（タローオイルオキシエチル）ジメチルアンモニウムクロリド。エステルはジエステル
対モノエステルの重量比約１６：１でモノエステルを包含する。
【００６９】
前記組成物は、４０°Ｆ（約４．４４℃）で透明であり且つ相安定である。